(57)【要約】      （修正有）【課題】コードを含めた携帯情報通信端末の保持を可能にする。【解決手段】台座２の縁２４側に回転部４が取り付けられ、回転部４には台座２を貫通する支柱４１が取り付けられ、台座２を貫通した支柱２の端部には平板４２が取り付けられ、支柱４１を中心に回転部４は台座２の一方の面側で３６０°回転可能になっており、回転部４にはスタンド３が取り付けられ、中央が中空に形成された、湾曲したスタンド３の切欠き３１２が回転部を挟み込み、回転部４の孔部４３と、スタンド３の連結孔３１３と、に軸５が組み込まれ、軸５を中心にスタンド３が回転部４（台座２）に対して回転可能になっており、スタンド３が軸５を中心に回転して台座２に当接するとスタンド３が湾曲しているため、スタンド３と台座２との間には隙間が形成される。【選択図】図３
2017034512.tif 000002
【特許請求の範囲】
【請求項１】
板状の部材をなし、一方の面側の一方の縁側に沿って溝部が形成され、他方の面側に接着剤層が形成された台座と、
該台座の、前記溝部が形成された前記一方の縁側と対抗する他方の縁側に取り付けられた、平板状の回転部と、
該回転部は、前記回転部の中央より伸びる支柱と、該支柱は、前記台座の、前記回転部が取り付けられる前記他方の縁側に形成された貫通孔に回転可能に組み込まれ、前記支柱の、前記回転部とは反対側の端部側に前記支柱と一体に取り付けられた、前記台座の他方の面側で回転可能な平板と、を備え、 
前記回転部を挟み込む切欠きが形成され、中央が中空に形成された、スタンドと、からなり、
該スタンドでは、該スタンドの切欠きが前記回転部の縁側を挟み込んで、前記回転部の縁側に形成された孔部と、前記スタンドの、前記回転部の縁側を挟み込んだ位置に形成された、前記回転部の縁側に形成された前記孔部とつながる連結孔と、に軸が組み込まれ、前記軸を中心に前記回転部の縁側を中心に前記スタンドを回転可能にする、前記切欠きが前記軸が組み込まれた方向の中央に形成され、前記軸が組み込まれた方向を横断する方向に沿って湾曲して形成された、支点部と、
前記支点部と対抗して形成され、前記支点部と対抗する側と反対側に、前記移動部の伸びる方向に沿って折返しが形成された移動部と、
前記支点部と前記移動部とを接続する、前記支点部と前記移動部との間に、前記移動部が前記台座に当接した際に、前記台座上で前記移動部と前記支点部との間で、前記移動部と前記支点部とから前記移動部と前記支点部との間の中央に向かって徐々に前記台座に対して隆起する、前記移動部の端部と前記支点部の端部をつなぐ、対抗する連結部と、を備えることを特徴とするホルダー。
【請求項２】
前記移動部の中央には、前記スタンドの中空側に突出した山部が形成されていることを特徴とする請求項1に記載のホルダー。
【発明の詳細な説明】
【技術分野】
【０００１】
本発明は、携帯情報通信端末を保持するホルダーに関する。
【背景技術】
【０００２】
昨今、高度に発達し、瞬時にいろいろな情報にアクセスすることが可能になった携帯情報通信端末は日常生活に欠くができなくなりつつある。携帯情報通信端末は、基本的には、手に持ち操作することになり、携帯情報通信端末を手で持った状態で画面を見ることになる。手で持つ場合には、携帯情報通信端末の持ち方によっては不安定となり、場合によっては手から携帯情報通信端末を落とし易い状態になることもある。また、画面を見るだけであれば、必ずしも携帯情報通信端末を手で持つ必要はなく、安定したところに携帯情報通信端末を置いて画面を見るということも可能である。そのため、携帯情報通信端末を安定した状態にして、画面を見ることができるだけではなく、携帯情報通信端末を保持することが可能な技術が種々開示されている。例えば、図８に示す構成では、底面部１３０に対して起き上がる方向に回転可能な、前面部１１０、後面部１２０、底面部１３０からなり、前面部１１０、後面部１２０の間に跨って、開口部１５０を形成し、後面部１２０には、前面部１１０とは異なる端部に引掛け雄部１２１、底面部１３０には、前面部１１０とは異なる側に引掛け雌部１３１を備え、引掛け雄部１２１を引掛け雌部１３１に挿入して嵌め込むことで組み立てることで携帯情報通信端末１４０を開口部１５０に挿入して携帯情報通信端末１４０を安定させるというものである（特許文献１）。
【先行技術文献】
【特許文献】
【０００３】
【特許文献１】実用新案登録第３１７４４３３号公報（段落０００５、段落０００９、図１）
【発明の概要】
【発明が解決しようとする課題】
【０００４】
図８に示す構成では、携帯情報通信端末１４０を一定の角度で傾けた（傾斜させた）状態にでき、画面１４１を見易くすることも可能である。しかしながら、図８に示すように、携帯情報通信端末１４０を安定させた状態にするためには、携帯情報通信端末１４０の下部側を支持する必要があり、支持するためには支持する部材（前面部１１０、後面部１２０）により携帯情報通信端末１４０の下部側を被う必要がある。その結果、携帯情報通信端末１４０の画面１４１の大きさによっては、支持する部材（前面部１１０）が画面１４１の一部を被うことになり、画面１４１全体を見せることが難しくなる。
【０００５】
また、携帯情報通信端末１４０を支持するスタンドでは、一般に、携帯情報通信端末１４０を扱い易くすることを考慮に入れているにもかかわらず、携帯情報通信端末１４０本体のみことしか取り扱っていない。携帯情報通信端末１４０本体からはイヤホン等と接続するためのコードが伸びていることも多く、そのコードを整理するための工夫が行われていない。そのため、携帯情報通信端末１４０を支持するスタンドをおいた机等の上にコードが雑然とした状態で携帯情報通信端末１４０を支持するスタンド１０１の近く置かれた状態となってしまう。特に、コードが整理できていないということは、携帯情報通信端末１４０を支持するスタンドにおいていない状態、つまり、携帯情報通信端末１４０を手で持っている状態のときも同様であり、コードが携帯情報通信端末１４０から垂れ下がった状態であったり、携帯情報通信端末１４０から伸びるコードが近くのものに引っ掛かることもあったりする可能性がある。
【０００６】
さらに、携帯情報通信端末１４０を手で持つに際しては、一般に、携帯情報通信端末１４０を一方の手で持ち、その手の、親指と他の指との間に携帯情報通信端末１４０を挟み込むようにして持つことになる。この状態では、いずれの指も携帯情報通信端末１４０側に固定されているわけではないので携帯情報通信端末１４０を単に支えているに過ぎない。そのため、ちょっとしたはずみで親指と他の指との間の開き方が大きくなるということもあり、その場合、携帯情報通信端末１４０を落とすということにはならなくても、携帯情報通信端末１４０の支えが不安定になる。その結果、携帯情報通信端末１４０の画面１４１もブレて、画面１４１が見易くなくなるとともに、他方の手での携帯情報通信端末１４０の操作が行い難くなるということがある。 
【０００７】
本発明は、上記の事情に鑑みなされたものであり、携帯情報通信端末を安定させた状態を実現するに際し、携帯情報通信端末の画面が見える状態を維持し、携帯情報通信端末本体だけではなく、携帯情報通信端末の付属品についてもまとめることを可能にし、携帯情報通信端末を持つに際しても持ち易くするスタンドを提供することを目的とする。
【課題を解決するための手段】
【０００８】
請求項１に記載の発明は、板状の部材をなし、一方の面側の一方の縁側に沿って溝部が形成され、他方の面側に接着剤層が形成された台座と、該台座の、前記溝部が形成された前記一方の縁側と対抗する他方の縁側に取り付けられた、平板状の回転部と、該回転部は、前記回転部の中央より伸びる支柱と、該支柱は、前記台座の、前記回転部が取り付けられる前記他方の縁側に形成された貫通孔に回転可能に組み込まれ、前記支柱の、前記回転部とは反対側の端部側に前記支柱と一体に取り付けられた、前記台座の他方の面側で回転可能な平板と、を備え、前記回転部を挟み込む切欠きが形成され、中央が中空に形成された、スタンドと、からなり、該スタンドでは、該スタンドの切欠きが前記回転部の縁側を挟み込んで、前記回転部の縁側に形成された孔部と、前記スタンドの、前記回転部の縁側を挟み込んだ位置に形成された、前記回転部の縁側に形成された前記孔部とつながる連結孔と、に軸が組み込まれ、前記軸を中心に前記回転部の縁側を中心に前記スタンドを回転可能にする、前記切欠きが前記軸が組み込まれた方向の中央に形成され、前記軸が組み込まれた方向を横断する方向に沿って湾曲して形成された、支点部と、前記支点部と対抗して形成され、前記支点部と対抗する側と反対側に、前記移動部の伸びる方向に沿って折返しが形成された移動部と、前記支点部と前記移動部とを接続する、前記支点部と前記移動部との間に、前記移動部が前記台座に当接した際に、前記台座上で前記移動部と前記支点部との間で、前記移動部と前記支点部とから前記移動部と前記支点部との間の中央に向かって徐々に前記台座に対して隆起する、前記移動部の端部と前記支点部の端部をつなぐ、対抗する連結部と、を備えることを特徴とする。
【０００９】
従って、請求項１に記載の発明によれば、台座の縁側に回転部が取り付けられ、回転部には台座を貫通する支柱が取り付けられ、台座を貫通した支柱の端部には平板が取り付けられ、支柱を中心に回転部は台座の一方の面側で３６０°回転可能になっており、回転部にはスタンドが取り付けられ、中央が中空に形成されたスタンドの切欠きが回転部の縁側を挟み込み、回転部の孔部と、スタンドの連結孔と、に軸が組み込まれ、軸を中心にスタンドが回転部（台座）に対して回転可能になっており、スタンドを形成する、切欠きが形成されて湾曲した支点部と、支点部の湾曲した形状に連続する、対向した連結部と、連結部の、支点部側とは反対側に形成された移動部と、が支点部側を中心に台座（回転部）を中心に回転可能になっている。移動部が台座に当接している際には、移動部の端部と支点部の端部をつなぐ、対抗する連結部は、移動部と支点部とから移動部と支点部との間の中央に向かって徐々に台座に対して隆起する形状をなしており、スタンドと台座との間には隙間が形成される。
【００１０】
また、請求項２に記載の発明は、請求項1に記載の構成に加え、前記移動部の中央には、前記スタンドの中空側に突出した山部が形成されていることを特徴とする。
【００１１】
従って、請求項２に記載の発明によれば、移動部の中央にスタンドの中空側に突出した山部が形成されることで各指の進入路を確保し、各指がスタンドの中空内に容易に入り、各指の進入路を分けることでスタンドの中空内の指の位置を規制することでさらにより指に力を入れ易くなり、さらにより安定して携帯情報通信端末を支持する。
【発明の効果】
【００１２】
本発明によれば、携帯情報通信端末の支持に際して、台座の他方の面側に接着剤が塗布されているため、台座の他方の面側を携帯情報通信端末の裏面側に固定することができ、ホルダーが携帯情報通信端末の表面側の画面を被うことがなく、携帯情報通信端末を安定して支持した状態にしても画面全体を見ることができる。また、携帯情報通信端末から伸びるコードについては、スタンドの、対抗する湾曲した部分（対抗する連結部）に巻き付けることができるので携帯情報通信端末についての整理を可能にするものである。さらに、スタンドは幅広に形成され、複数の指をスタンドに挿入することで携帯情報通信端末を支持することになるのでより安定した携帯情報通信端末の支持の実現を可能にする。
【図面の簡単な説明】
【００１３】
【図１】本発明のホルダーの斜視図である。（ａ）は、台座にスタンドが当接した状態を示す斜視図である。（ｂ）は、台座からスタンドが離れた状態を示す斜視図である。
【図２】本発明のホルダーを側面方向から示す説明図である。
【図３】本発明のホルダーを上方方向から示す説明図である。
【図４】本発明のホルダーの使用例を示す説明図である。（ａ）は、携帯情報通信端末を机等に置く場合の本発明であるホルダーの使用例を示す説明図である。（ｂ）は、携帯情報通信端末を机等を手に持つ場合の本発明であるホルダーの使用例を示す説明図である。
【図５】本発明のホルダーの別の使用例を示す説明図である。
【図６】本発明のホルダ−の別の形態を示す説明図である。（ａ）は、本発明のホルダーのスタンドの変形例を示す説明図である。（ｂ）は、本発明のホルダーのスタンドの別の変形例を示す説明図である。
【図７】本発明のホルダ−のさらに別の形態を示す説明図である。
【図８】特許文献１に示す、携帯情報通信端末を挿入したスタンドの斜視図である。
【発明を実施するための形態】
【００１４】
以下、本発明の実施の形態について説明する。
【００１５】
図１に本発明のホルダー１の概要が示されている。ホルダー１は、基本的には、図１に示すように、台座２とスタンド３とから構成されている。そして、台座２に対してスタンド３が動く構成となっている。台座２は、板状の部材であり、本例では、長方形の形状をなす平面板を用いているが、特に長方形の形状に限定されることはなく、正方形、円形の平面板を用いることも可能である。本例での台座２は金属製であるが、強度が維持できれば金属製に限らず樹脂製とすることも可能である。台座２の長手方向の一方の縁２３側では、台座２の長手方向に沿って（長方形の長手方向に沿って）溝部２１が形成されており、台座２の長手方向の他方の縁２４側には、スタンド３が取り付けられている（図１（ｂ））。
【００１６】
スタンド３の台座２への取り付けは、回転部４を介して行われている。回転部４は平板の形状をなしており、本例においては、矩形形状をなしているが、特に矩形形状に限定されることなく、他に曲線からなる形状、例えば円形、或は楕円形の形状をとることも可能である。そして、図２に示すように、回転部４の中央から支柱４１が伸びており、本例においては、回転部４の中央に形成された孔部に支柱４１を組み込み接着材等により固定されて一体化されているが、回転部４の中央の孔部に支柱４１を組み込む構成に限定されることなく、例えば、回転部４の中央に支柱４１の端部を溶接することで回転部４と支柱４１とを一体化することも可能である。台座２の長手方向の他方の縁２４側のスタンド３が取り付けられる位置の中央である、回転部４が取り付けられる位置には、台座２の厚み方向を貫通した貫通孔２２が形成されており、貫通孔２２に回転部４の支柱４１が回転可能に組み込まれている。
【００１７】
支柱４１の、回転部４とは反対側の端部に支柱４１と一体に円形の平板（円盤状の部材）４２が取り付けられて、支柱４と円形の平板４２が一体化している。本例では、円形の平板４２の中央に形成された孔部に支柱４１を組み込み接着材等により固定されて一体化されているが、円形の平板４２の中央の孔部に支柱４１を組み込む構成に限定されることなく、例えば、円形の平板４２の中央に支柱４１の端部を溶接することで円形の平板４２と支柱４１とを一体化することも可能である。つまり、円形の平板４２は、図２に示すように、台座２の他方の面側に取り付けられることになり、円形の平板４２を取り付けることで支柱４１が貫通孔２２から抜け出ることを防止している。円形の平板４２は回転部４が回転することで台座２の他方の面側で回転することになる。
【００１８】
また、貫通孔２２での支柱４１の回転は、貫通孔２２内の内周面を支柱４１の外周面が摺動しながら回転することになるので、貫通孔２２内で回転させた位置で支柱４１を保持させることが可能になる。摺動による摩耗を防ぐためには、支柱４１の外周面にゴム部材を巻き付けて貫通孔２２に組み込むことで摩耗を防ぎながら支柱４１の回転、回転させた位置での支柱４１の保持を実現できる。支柱４１の回転にともなって円形の平板４２も回転することになり、台座２の他方の面側で当接しながら回転することになり、台座２の他方の面側と台座２との間で摩耗が生じる。摩耗を防ぐためには、同様に、円形の平板４２に円形のゴム部材を貼り付けて台座２の他方の面側で回転させることになる。以上が台座２での回転部４の構成であり、回転部４は台座に対して３６０°回転可能となっている。
【００１９】
スタンド３は、図１（ａ）に示すように、中央側が中空３４に形成されて（長方形形状に近い）矩形形状をなしており、本例では金属製であるが、強度を維持できれば金属製に限らず樹脂製とすることも可能である。台座２に取り付けられるスタンド３の支点部３１は、本例では、スタンド３の長手方向の一方側であるが、長手方向を横断する方向を支点部３１とすることも可能である。支点部３１は、枠体の一辺からなり、板状の形状をなしており、支点部３１の、長手方向を横断する方向が湾曲して形成されている。支点部３１の長手方向の一方の縁３１１側の中央に切欠き３１２が形成されている。切欠き３１２を形成することで、支点部３１の長手方向の一方の縁３１１側は略コ字状の形状をなしている。切欠き３１２の、支点部３１の長手方向に沿う長さは、回転部４の、支点部３１の長手方向に沿う長さに対応しており、切欠き３１２が回転部４の、支点部３１の長手方向に沿う側を挟み込める長さになっている。
【００２０】
つまり、支点部３１の長手方向の一方の縁３１１側は略コ字状の形状が回転部４の一方の縁４０を挟み込むことになる。切欠き３１２の、支点部３１の長手方向を横断する方向の長さは、支点部３１の長手方向を横断する方向の長さの半分の長さに形成されている。半分の長さにすることで、スタンド３を回転部４の他方の縁４９側へ軸５を中心に回転させて、スタンド３が回転部４に当接させたとき、スタンド３が台座２に対して９０°回転したことになる。本例では、半分の長さとしているが必ずしも半分の長さに限定されることなく、スタンド３が台座２に対して９０°回転できれば、半分以下の長さであってもよいし、半分以上の長さにしなければスタンド３が台座２に対して９０°回転できなければ半分以上の長さにしなけれなならない。本例では、切欠き３１２は長方形形状をなしているが、スタンド３を回転部４の他方の縁４９側へ軸５を中心に回転させて、スタンド３が回転部４に当接させたとき、スタンド３が台座２に対して９０°回転できれば、特に長方形形状に限定されることなく、例えば円形、楕円形の形状とすることも可能である。
【００２１】
スタンド３の支点部３１の回転部４への取り付けに際しては、支点部３１の切欠き３１２が回転部４の縁４０側を挟み込んだ際に、回転部４の、台座２の溝部２１側の縁４０側に、縁４０に沿って形成された孔部４３と、支点部３１の切欠き３１２を形成した、支点部３１の部分の回転部４の縁４０側を挟み込んだ位置に形成された連結孔３１３と、をつなげる。つながった（一直線となった）支点部３１の連結孔３１３と回転部４の孔部４３とに軸５を通し、スタンド３の支点部３１の回転部４への取り付けることになる。スタンド３の台座２に対する回転では連結孔３１３及び孔部４３の、内周面と、軸５の外周面とが摺動しながら回転することになるので、スタンド３（支点部３１）を台座２（回転部４）に対して回転させた位置で保持させることが可能になる。摺動による摩耗を防ぐためには、軸５の外周面にゴム部材を巻き付けて連結孔３１３及び孔部４３に組み込むことで摩耗を防ぎながらスタンド３（支点部３１）の摺動による回転、回転させた位置での支柱４１の保持を実現できる。
【００２２】
支点部３１の他方の縁３１４側の端部３１５側からは、対抗した連結部３２、３２が伸びている。連結部３２、３２は板状の形状をなし、長手方向に沿って湾曲して形成されており、支点部３１の湾曲した状態から湾曲した状態が連続して、連結部３２、３２が形成されている。その際、支点部３１の湾曲の曲率と連結部３２の湾曲の曲率を同じにして連結部３２、３２を形成することも可能である。連結部３２の湾曲する方向は、図１に示すように、台座２にスタンド３が当接した状態（台座２に対してスタンド３が回転していない状態）で台座２に対して弧をなす方向となっている（スタンド３の中央が隆起して、連結部３２、３２が台座から離れ湾曲して弧をなす状態となっている）。連結部３２、３２の、支点部３１の他方の縁３１４側の端部３１５側とは反対側の端部３２１、３２１側には移動部３３が形成されている。移動部３３も板状の形状をなしており、対抗する連結部３２、３２の端部３２１、３２１側に形成されることで支点部３１と対抗している。移動部３３では、支点部３１と対抗する側と反対側に、移動部３３の伸びる方向に沿って折返し３３１が形成され、移動部３３の、連結部３２、３２の端部３２１側と折返し３３１とで形成された、移動部３３の底部３３２はスタンド３が台座２に当接した際に、溝部２１に入る（当接する）。
【００２３】
以上が本発明であるホルダ−１の構成であり、以下では、ホルダー１の使用例について説明する。
【００２４】
図４には、ホルダ−１を用いて携帯情報通信端末１０を保持する例が示されている。図４（ａ）では、携帯情報通信端末１０を手に持たずに机等に置く場合のホルダー１の用い方が示されている。まず、図１（ａ）に示すホルダー１の状態から図１（ｂ）に示すホルダー１の状態にする。具体的には、軸５を中心にスタンド５を台座２に対して回転させる。スタンド３は台座２に対して９０°回転することが可能であるが、特に９０°回転させる必要はなく携帯情報通信端末１０を机等の上で傾かせたい角度まで回転させることになる。所望の角度にスタンド３を台座２に対して回転させると、スタンド３は所望の角度で保持された状態となる。つぎに、回転部４を台座２に対して回転させる。
【００２５】
具体的には、台座２の一方の面２０側に沿ってスタンド（支点部３１）３を回転させることで、回転部４が台座２の一方の面２０側に沿って回転する。回転部４は支柱４１を中心に３６０°回転することができるが、図４（ａ）に示す場合には、回転部４を台座２に対して９０°だけ回転させる。同時に、回転部４は９０°回転された状態で保持される。その後、台座２の他方の面２９側の接着剤層６に携帯情報通信端末１０を載せて携帯情報通信端末１０にホルダー１を取り付ける。そして、スタンド３の移動部３３の折返し３３１を机等に載せるとともに、携帯情報通信端末１０の端部側を机等に載せることで、携帯情報通信端末１０を机等に置いた状態が実現され、携帯情報通信端末１０の画面全体が見えることになる。なお、以上では、スタンド３を回転させて、回転部４を回転させて、というように一つひとつの動作について順に行ったが、スタンド３を回転させながら回転部４を回転させるというように動作を同時に行うこともできる。
【００２６】
図４（ｂ）では、携帯情報通信端末１０を手に持って携帯情報通信端末１０を操作する場合のホルダー１の用い方が示されている。図４（ｂ）では、携帯情報通信端末１０を持ち易いように、移動部３３の下からスタンド３の中空３４に二本の指（人差指、中指）を入れ、スタンド３を台座２に対して若干回転させて、スタンド３を台座２に対して若干傾かせた状態にし、回転部４も若干回転し、手７の二本の指（人差指、中指）は斜め方向から携帯情報通信端末１０を支持している。携帯情報通信端末１０の持ち方は各個人によって異なってくるものである。従って、例え、スタンド３の中空３４に入れる二本の指（人差指、中指）が同じであっても、スタンド３の台座２に対する回転、回転部４の台座に対する回転は異なってくる。
【００２７】
本例ではスタンドの中空３４に二本の指（人差指、中指）を入れて携帯情報通信端末１０をより安定して支持している。このように、スタンド３の中空３４に単に二本の指（人差指、中指）を入れるというだけでも携帯情報通信端末１０をより安定して支持することができるが、各指の進入路を分けることでスタンド３の中空３４内の指の位置を規制することでさらにより指に力を入れ易くなり、さらにより安定して携帯情報通信端末１０を支持することになる。図４（ｂ）に示すように、移動部３３の中央である、移動部３１の切欠き３１２に対抗する位置にスタンド３の中空３４側に突出した山部３３３が形成されることで各指の進入路を確保し、各指がスタンド３の中空３４内に容易に入り、ホルダー１に取り付けられた携帯情報通信端末１０の支持を安定させている。
【００２８】
図５では、ホルダー１のスタンド３の図４での用い方以外の用い方が示されている。スタンド３では、支点部３１と移動部３３とを接続する、支点部３１と移動部３３との間に、移動部３３が台座２に当接した際に、台座２上で移動部３３と支点部３１との間で、移動部３３と支点部３１とから移動部３３と支点部３１との間の中央に向かって徐々に台座２に対して隆起する、移動部３３の端部と支点部３１の端部とが、対抗する連結部３２、３２よってつながれている。つまり、対抗する連結部３２，３２が同じに曲がっているため、携帯情報通信端末１０のイヤホンコード８を含めたのコードが巻き付け易くなっている。具体的には、図１（ｂ）の状態にして、対抗する連結部３２、３２の中央側にイヤホンコード８を巻き付ける。その後に、スタンド３を台座２に当接させる（移動部３３の底部３３２を台座２の溝部２１に当接させる）。その結果、長いイヤホンコード８ををコンパクトにまとめることができ、携帯情報通信端末１０全般についての整理も行える。
【００２９】
なお、本発明であるホルダー１の形態は、図１乃至図３に示す形態に限定されるものではなく、例えば、図６、図７に示す形態をとることも可能である。図６では、台座２、回転部４等については、図１乃至図３に示すものと同一であるが、スタンド３の形状が異なっている。図６（ａ）では、スタンド３の形状が、ホルダー１の上方から見ると略Ｂ字状の形状をなしており、図６（ａ）に示すように、移動部３３の、台座２の長手方向の一方の縁２３側へ突出した部分二箇所に折返し３３１、３３１が形成されており、移動部３３の折返し３３１、３３１が形成された部分が台座２に当接する部分に、図示していないが溝部２１が形成されている。また、図６（ｂ）では、スタンド３の形状が、ホルダー１の上方から見ると略Ｄ字状の形状をなしており、図６（ｂ）に示すように、移動部３３の、台座２の長手方向の一方の縁２３側へ突出した部分側に折返し３３１が形成されており、移動部３３の折返し３３１が形成された部分が台座２に当接する部分に、図示していないが溝部２１が形成されている。
【００３０】
図６に示す構成は以上の点が図１乃至３に示す構成と異なるのみで、使用方法を含めた効果は図１乃至３に示す構成と同じである。さらに、図７でも、台座２、回転部４等については、図１乃至図３に示すものと同一であるが、スタンド３の形状が異なっている。図１乃至３では連結部３２、３２は湾曲した形状をなしているのに対して、図７では、連結部３２、３２が台形状の形状をなしている。図７に示す連結部３２、３２が台形状の形状をなしていても、連結部３２は、移動部３３が台座２に当接した際に、台座２上で移動部３３と支点部３１との間で、移動部３３と支点部３１とから移動部３３と支点部３１との間の中央に向かって徐々に台座２に対して隆起する、移動部３３の端部３２１、３２１と支点部３１の端部３１５、３１５をつなぐことになる。その結果、図６に示す構成と同様に、使用方法を含めた効果は図１乃至３に示す構成と同じである。
【００３１】
図６及び図７以外にも、例えば台座２の形状を、矩形形状である図１乃至図３に示す形状とは異なる楕円状の形状にすることも可能であり、台座２を楕円状の形状にした場合には、スタンド３も台座２の形状に合わせて楕円形の形状にすることも可能である。台座２及びスタンド３を楕円形の形状にしても使用方法を含めた効果は図１乃至３に示す構成と同じである。また、台座２を楕円状の形状にし、スタンド３を図１乃至図３に示す形状である矩形形状（長方形）にすることも可能であり、その場合でも使用方法を含めた効果は図１乃至３に示す構成と同じである。
【符号の説明】
【００３２】
１…ホルダー
２…台座、２０…一方の面、２１…溝部、２２…貫通孔、２３…一方の縁、２４…他方の縁、２９…他方の面
３…スタンド、３１…支点部、３１１…一方の縁、３１２…切欠き、３１３…連結孔、３１４…他方の縁、３１５…端部、
３２…連結部、３２１…端部、３３…移動部、３３１…折返し、３３２…底部、３３３…山部、３４…中空
４…回転部、４０、４９…縁、４１…支柱、４２…平板、４３…孔部、
５…軸
６…接着剤層
７…手
８…イヤホンコード
１０…携帯情報通信端末
【図１】
2017034512.tif 000003
【図２】
2017034512.tif 000004
【図３】
2017034512.tif 000005
【図４】
2017034512.tif 000006
【図５】
2017034512.tif 000007
【図６】
2017034512.tif 000008
【図７】
2017034512.tif 000009
【図８】
2017034512.tif 000010